(57)【要約】最初にインカミングコールアラート、またはインカミングコールアラートおよびＰＴＴ情報なしの発信者ＩＤ情報を送信し、後にＰＴＴ情報を送信する代わりに、ＰＴＴ信号を含む発信者ＩＤ情報を、ユーザインターフェースモジュールに、迅速に発信するシステムおよび方法が提供される。バイパスアラートメッセージは、主制御タスクからユーザインターフェースモジュールに送信されたインカミングコールメッセージに関連する発信者ＩＤ情報に含まれ得る。
2008508799.tif 000002
【特許請求の範囲】
【請求項１】
無線通信デバイスにおいてコールを処理する方法であって、該方法は、
インカミングコールメッセージを受信するステップと、
該メッセージにおいて、プッシュツートーク（ＰＴＴ）インジケータを読み出すステップと、
該ＰＴＴインジケータを読み出した後、インカミングコール信号を、ユーザインターフェースモジュールに送信し、該ユーザインターフェースモジュールに、該インカミングコールメッセージが受信されたことをアラートするステップと、
該ＰＴＴインジケータを読み出した後、該ユーザインターフェースモジュールに、該ＰＴＴインジケータを示すＰＴＴ信号を送信するステップと
を包含する、方法。
【請求項２】
前記ユーザインターフェースモジュールに、バイパスアラートメッセージを伝送するステップをさらに包含する、請求項１に記載の方法。
【請求項３】
前記伝送するステップが、主制御モジュールから、前記バイパスアラートメッセージを伝送することをさらに包含する、請求項２に記載の方法。
【請求項４】
前記インカミングコール信号が、インカミングコールコマンドを備える、請求項３に記載の方法。
【請求項５】
前記インカミングコールメッセージがＰＴＴコールに関連しているかどうかを決定するステップをさらに包含する、請求項１に記載の方法。
【請求項６】
前記決定するステップに応じて、ＰＴＴビットを、イエス、すなわちハイ（ｈｉｇｈ）として書き込むステップと、
前記インカミングコール信号および該ＰＴＴビットを、単一の組み合わされたアラートメッセージに組み込むステップと
をさらに包含し、ＰＴＴ信号を送信する前記ステップおよびインカミングコール信号を送信する前記ステップが、該組み合わされたアラートメッセージを、該ユーザインターフェースモジュールに送信することによって実行される、請求項５に記載の方法。
【請求項７】
前記組み合わされたアラートメッセージがインカミングコールコマンドを備える、請求項６に記載の方法。
【請求項８】
前記インカミングコールメッセージがＰＴＴ  ｏｖｅｒ  ｖｏｉｃｅインカミングコールメッセージを備える、請求項１に記載の方法。
【請求項９】
前記インカミングコールメッセージがＰＴＴ  ｏｖｅｒ  ｖｏｉｃｅインカミングコールメッセージであることを確証するステップをさらに包含する、請求項８に記載の方法。
【請求項１０】
前記インカミングコールメッセージがｖｏｉｃｅＰＴＴ  ｏｖｅｒ  ｖｏｉｃｅインカミングコールメッセージを備える、請求項８に記載の方法。
【請求項１１】
無線通信デバイスにおいてコールを処理する方法を実行するための命令を含むコンピュータ可読媒体であって、該方法は、
インカミングコールメッセージを受信するステップと、
該メッセージにおいて、プッシュツートーク（ＰＴＴ）インジケータを読み出すステップと、
該ＰＴＴインジケータを読み出した後、インカミングコール信号を、ユーザインターフェースモジュールに送信し、該ユーザインターフェースモジュールに、該インカミングコールメッセージが受信されたことをアラートするステップと、
該ＰＴＴインジケータを読み出した後、該ユーザインターフェースモジュールに、該ＰＴＴインジケータを示すＰＴＴ信号を送信するステップと
を包含する方法である、
コンピュータ可読媒体。
【請求項１２】
前記方法が、前記ユーザインターフェースに、バイパスアラートメッセージを伝送するステップをさらに包含する、請求項１１に記載のコンピュータ可読媒体。
【請求項１３】
前記伝送するステップが、
主制御モジュールから、前記バイパスアラートメッセージを伝送することをさらに包含する、請求項１２に記載のコンピュータ可読媒体。
【請求項１４】
前記方法が、前記インカミングコールメッセージがＰＴＴコールと関連しているかどうかを決定するステップをさらに包含する、請求項１１に記載のコンピュータ可読媒体。
【請求項１５】
前記方法が、
前記決定するステップに応じて、ＰＴＴビットを、イエス、すなわちハイ（ｈｉｇｈ）に書き込むステップと、
前記インカミングコール信号および該ＰＴＴビットを、単一の組み合わされたアラートメッセージに組み込むステップと
をさらに包含し、ＰＴＴ信号を送信する前記ステップおよびインカミングコール信号を送信する前記ステップが、該組み合わされたアラートメッセージを、前記ユーザインターフェースモジュールに送信することによって実行される、請求項１４に記載のコンピュータ可読媒体。
【請求項１６】
前記インカミングコールメッセージが、Ｖｏｉｃｅ  ｏｖｅｒ  Ｖｏｉｃｅインカミングコールメッセージを備える、請求項１１に記載のコンピュータ可読媒体。
【請求項１７】
前記方法が
前記インカミングコールメッセージがＶｏｉｃｅ  ｏｖｅｒ  Ｖｏｉｃｅインカミングコールメッセージであることを確証するステップをさらに包含する、請求項１６に記載のコンピュータ可読媒体。
【発明の詳細な説明】
【技術分野】
【０００１】
本発明は一般に、無線通信に関する。より詳細には、無線通信におけるコール処理に関する。
【背景技術】
【０００２】
消費者は無線通信デバイス上で、プッシュツートーク（ＰＴＴ：ｐｕｓｈ  ｔｏ  ｔａｌｋ）機能をますます要求している。専用のＰＴＴ無線通信インフラストラクチャは高価である。消費者は安価なＰＴＴの解決法を望んでいる。音声ネットワークにおけるＰＴＴコールを実行する方法が必要とされている。
【０００３】
ネットワークのインフラストラクチャを変化させることは、たとえその変化がソフトウェアの変更のみであったとしても、高価である。可能であるならば、ネットワークの修正を全くせずに、音声ネットワークにおけるＰＴＴを実施することが好ましい。
【０００４】
音声チャンネルにおけるＰＴＴコールの問題は、無線通信デバイスが、標準の音声コールがＰＴＴコールに応じて受け取られるかのように反応し得ることである。第１に、無線通信デバイスは音が鳴り得る。無線通信デバイスはＰＴＴコールにおいて音が鳴ることは想定されていない。第２に、無線通信デバイスは、ＰＴＴセッションにおいて、「会話を主宰する」（ｔａｋｅ  ｔｈｅ  ｆｌｏｏｒ）ことができない。「会話を主宰する」とは、一つの無線通信デバイスを、例えば話者などの発信主にし、他方で、一人が「会話を主宰」する。通常、ＰＴＴセッション（コール）におけるたった一つのＰＴＴデバイスが、一度に、発信主になることができるのみである。
【０００５】
さらに、ＰＴＴセッションのセットアップにおける遅延は、別の問題である。ユーザがコールを開始した後、出来る限り迅速に、ユーザはＰＴＴコールの受信主と会話できることを望んでいる。一部のユーザにとっては、コールのセットアップ時間における遅延は、結局は、仕事上における無駄な時間ということになる。あるいは、一部のユーザにとっては、セットアップ時間における遅延は、ユーザが個人的に誰かと通信をしたい場合に、無駄な時間となってしまう。
【発明の開示】
【課題を解決するための手段】
【０００６】
音声ネットワークを介した効率的で効果的なＰＴＴコールを提供するために、最初にインカミングコールアラート、またはインカミングコールアラートおよびＰＴＴ情報なしの発信者ＩＤ情報を送信し、後に、ＰＴＴ情報を送信する代わりに、ＰＴＴ信号を含む発信者ＩＤ情報を、ユーザインターフェースモジュールに、迅速に発信するシステムおよび方法が提供される。バイパスアラートメッセージは、主制御タスクからユーザインターフェースモジュールに送信されたインカミングコールメッセージに関連する発信者ＩＤ情報に含まれ得る。
【０００７】
本発明の他の局面、利点、および新しい特性は、添付された図面とともに検討される場合、以下の詳細な記述から明らかになる。
【発明を実施するための最良の形態】
【０００８】
図１はインカミングコールメッセージ１０６に関する主制御モジュール１０３を例示し、インカミングコールメッセージ１０６に関するユーザインターフェースモジュール１０９を通知する、ブロック図を示す。インカミングコールメッセージ１０６の少なくとも一部を読み出した後、主制御モジュールは、インカミングコール信号１１１をユーザインターフェースモジュール１０９に発信する。有利にも、インカミングコール信号１１１はＰＴＴ信号１８０を含み、後に図３に関連して記載される。
【０００９】
インカミングコール信号がＰＴＴ信号１８０を含むことを確証するために、主制御モジュール１０３は、インカミングコール信号１１１を、ユーザインターフェースモジュール１０９に発信する前に、少なくともＰＴＴインジケータを読み出す。ＰＴＴインジケータは、図２に関連して後に記載される。主制御モジュール１０３は、ユーザインターフェースモジュール１０９に発信されたインカミングコール信号１１１を有するＰＴＴ信号１８０を含む。そのインカミングコールメッセージ１０６は、一つのヘッダ１３２、および一つ以上のレコード１３５、１３８、１４１、および１４４を含む。
【００１０】
図２を参照し、ヘッダ１３２は、インカミングコールメッセージ１０６において含まれるアラート１４７およびレコードの数の指示１５０を含む。アラートは、インカミングコールが無線通信デバイスに入って来ていることを、無線通信デバイスに知らせることを含む。矢線１１３、１１７、１２１、１２５、および１２９によって示されるように、主制御モジュールは、それぞれのヘッダ１３２、ならびに、レコード１３５、１３８、１４１、および１４４を読み出す。４つの特定のレコードが示される一方で、１からｎの一連のレコード、および点線１５５ａと点線１５５ｂ（図１に関しては１６０ａ、１６０ｂ）によって示されるように、多かれ少なかれ、レコードが存在し得る。再度、図２を参照し、レコード１３５、１３８、１４１、および１４４のうちの一つは、発信者ＩＤ１６５を含む。レコード１  １３５は図２に示されるが、任意のレコードが、レコード１  １３５の代わりに用いられ得ることは理解されたい。
【００１１】
発信者ＩＤ１６５は、発信者ＩＤ番号１７０およびＰＴＴインジケータを含む。発信者ＩＤ番号１７０は、１０桁の数であり得、米国では、無線電話番号を含む通常の電話番号として良く知られている。無線通信デバイスへの発信者を識別する任意の発信者ＩＤ、例えば、電気的シリアル番号または発信者名などが使用され得ることは理解されたい。ＰＴＴインジケータ１７５は、任意のＰＴＴインジケータのタイプ、例えば、発信者ＩＤ番号１７０に付加される、一つ、二つ、三つまたは四つの独自の桁であり得る。
【００１２】
発信者ＩＤ番号１７０は、１２桁のグループＩＤ番号であり得ることが当業者によって理解されたい。そのような１２桁のグループＩＤ番号は、当業者によって良く知られているように、ＰＴＴグループを指定するために使用される。ＰＴＴグループ呼び出しは、簡潔さおよび明解さのため、ここではさらに記載しない。ＰＴＴインジケータ１７５は２桁のＰＴＴグループＩＤインジケータであり得、発信者ＩＤ番号１７０に付加される。
【００１３】
有利にも、主制御モジュール１０３は、インカミングコール信号１１１をユーザインターフェースモジュールに発信する前に、ＰＴＴインジケータ１７５を読み出す。このように、主制御モジュールは、ＰＴＴ信号１８０を、インカミングコール信号を有するユーザインターフェースに発信することができる。これにより、ユーザインターフェースモジュールは、標準の音声コールモードの状態になるのを避けることが可能である。標準の音声コールモードの通常の局面は、（１）例えば音を発するか、または振動することによって、無線通信デバイスに、コールが入って来ていることをユーザにアラートさせること、および（２）「会話を主宰する」ことを意味する、会話するためのＰＴＴの企てに対して、待機せず、応答もしないこと、を含む。ＰＴＴ信号１８０を受信する上で、ユーザインターフェースモジュール１０９は、インカミングコールがＰＴＴコールであることを知っている。ユーザインターフェースモジュールは、ＰＴＴコールと標準の音声コールとを混同してしまう、一つ以上の問題を避けることができる。
【００１４】
これを達成するために、制御モジュールは、単一のパス処理の代わりに、二重のパス処理を実行し得る。つまり、主制御モジュールは、インカミングコールメッセージを、２回、処理し得る。第１の処理パスにおいて、主制御モジュールは、ＰＴＴインジケータを探す。ＰＴＴインジケータが存在する場合、インカミングコールメッセージがＰＴＴコールに関するということを、ユーザインターフェースモジュールに知らせることが可能である。第２の処理パスにおいて、主制御タスクは、インカミングコールメッセージにおける他の情報を処理し得る。
【００１５】
二重のパス処理は、通常の知恵や許容可能な実施とは反対である。通常は、単一のパス処理が好まれるが、それはより論理的であり、通常は処理における電力および時間を節約するからである。しかしながら、許容される実施とは反対に、二重のパス処理は、ＰＴＴコールを標準の音声コールと解釈する問題を避けることにおいては最良であり得る。
【００１６】
後にユーザインターフェースが発信者ＩＤ情報を受け取る場合、可能ならばＰＴＴ情報を含み、ユーザインターフェースは、発信者ＩＤ情報またはＰＴＴ情報、あるいはその両方を無視し得、それゆえ、ユーザインターフェースは、ＰＴＴ情報を扱うためのステップを既にとっているからである。
【００１７】
あるいは、ネットワークに僅かな変更を加えることで、同様の利点が達成され得る。第１の例として、ＰＴＴ情報を有する発信者ＩＤがインカミングコールメッセージにおいて第１のレコードとして常にされるならば、次いで主制御モジュールは、二重パス処理を実行することなしで、そのコールがＰＴＴコールに関連するかどうかを知る。この方法において、ユーザインターフェースモジュールが発信者ＩＤの通知を受けたのと同時に、インカミングコールメッセージがＰＴＴコールと関連することが、ユーザインターフェースモジュールに知らされ得る。第２の例は図４に関連して以下で検討される。
【００１８】
図３を参照すると、インカミングコール信号１１１は、インカミングコールアラート１８２、発信者ＩＤ番号１７０、およびＰＴＴ信号１８０を含む。インカミングコールアラート１８２は、発信者ＩＤ１７０またはＰＴＴ信号１８０のいずれかに含まれ得ることは理解されたい。すなわち、インカミングコールアラートは、別個のデータとして含まれなくても良い。
【００１９】
ＰＴＴ信号１８０は、ユーザインターフェースモジュールに、インカミングコールメッセージがＰＴＴコールと関連するということを告げるための、任意の好都合のデータであり得る。例えば、ＰＴＴ信号１８０は、図２に関連して記載されたＰＴＴインジケータ１７５であり得る。
【００２０】
あるいは、例えば、ＰＴＴ信号は、インカミングコールメッセージがＰＴＴコールと関連するかどうかの信号を送るために指定された、別個のコードまたはビットであり得る。あるいは、例えば、ＰＴＴ信号は、バイパスアラート１８６を含み得る。必要に応じて、ＰＴＴ信号は、バイパスアラート信号のみであり得る。ユーザインターフェースモジュールは、インカミングコールがＰＴＴコールと関連するという指示として、所定の状況において、バイパスアラートを解釈するようにプログラムされ得る。
【００２１】
技術的に良く知られているように、バイパスアラート信号は、通常、ユーザインターフェースモジュールに、インカミングコールメッセージの使用者にアラートしていないということを伝えるために使用される。バイパスメッセージは、通常、技術的に良く知られているように、インカミング・ショートメッセージサービス（ＳＭＳ）のインカミングメッセージのために使用される。ＳＭＳメッセージは音声コールではない。ＳＭＳメッセージは通常、タイプ打ちされたメッセージなどのような、ＡＳＣＩＩデータメッセージを伝送し、メッセージの長さは限定されている。ＳＭＳメッセージは、「ＴＩＡ／ＥＩＡ−６３７−Ｂ  Ｓｈｏｒｔ  Ｍｅｓｓａｇｅ  Ｓｅｒｖｉｃｅｓ  ｆｏｒ  Ｗｉｄｅｂａｎｄ  Ｓｐｒｅａｄ  Ｓｐｅｃｔｒｕｍ  Ｓｙｓｔｅｍｓ」の工業規格において記載され、ここ全体において援用される。
【００２２】
図４を参照し、ＰＴＴインジケータを伝送する情報を有するアラートを受け取るためのメッセージプロセスが示される。メッセージは、基地局１９０と移動局１９４との間に送信される。移動局は移動体通信デバイスであり、通信ネットワークに接続するための基地局と通信するように構成される。基地局は、通信ネットワークにおけるハブであり、複数の移動局と通信するように構成される。イベント１９８の基地局シーケンスは、垂直線１９８によって示される。基地局１９０から移動局１９４へのメッセージは、水平線として示され、矢印が、基地局シーケンスから移動局シーケンスへの方向を指している。イベントは、一般的に示されるのみである。一部の詳細は明快さのために省略されていることは理解されたい。
【００２３】
通常、別の相手からのコールを開始するためには、基地局１９０は、移動局１９４に、ページメッセージ２１０を送る。移動局１９４は通常、ページの受信に応答して、承認メッセージ２１５を送信する。次に、基地局１９０は通常、チャンネル割り当てメッセージ２２０を移動局１９４に送信する。チャンネル割り当てメッセージに応答して、移動局１９４は、通常、チャンネル割り当て承認メッセージ１１５を基地局に送信する。最後に、一部の同様な他のメッセージの後、基地局は、通常、インカミングコールメッセージ１０６を送信することは、理解されたい。インカミングコールメッセージ１０６は情報を有するアラートであり得る。上記のメッセージプロセスは、「ＴＩＡ／ＥＩＡ／ＩＳ−２０００−５−Ａ  Ｓｉｇ  Ｌａｙｅｒ  ３，  Ｕｐｐｅｒ  Ｌａｙｅｒ（Ｌａｙｅｒ  ３）  Ｓｉｇｎａｌｉｎｇ  Ｓｔａｎｄａｒｄ  ｆｏｒ  ｃｄｍａ２０００  Ｓｐｒｅａｄ  Ｓｐｅｃｔｒｕｍ  Ｓｙｓｔｅｍｓ」において記載されたものと類似し得、以前に、ここ全体において援用されている。有利にも、情報を有するアラートはＰＴＴインジケータ１７５を含む。ＰＴＴインジケータは、発信者ＩＤ１６５に含まれ得る。
【００２４】
以下は、二重のパス処理を実行することなしに、コールがＰＴＴコールに関連するかどうかを、主制御モジュールがどのように知ることができるかを示す、第２の例である。チャンネル割り当てメッセージ２２０は、ＰＴＴの場合のバイパスアラートを示すために変更され得る。第３の例として、特定のＰＴＴチャンネル割り当てメッセージ領域は、インカミングコールメッセージがＰＴＴコールかどうかを示すために割り当てられ得る。この場合、主制御タスクは、インカミングコールメッセージが到着する前に、インカミングコールがＰＴＴコールに関連していたことを知る。最後に、第４の例として、新しいＶｏＶ（Ｖｏｉｃｅ−ｏｖｅｒ−ｖｏｉｃｅ）のＰＴＴサービス選択が、基地局ソフトウェアへの若干の変更を伴って、基地局にて実施され得る。基地局が、存在するサービス選択領域を有するメッセージをサポートするときはいつでも、ＶｏＶのＰＴＴのための、新しい１６ビットサービス選択値をサポートすることができる。
【００２５】
図５は、ＰＴＴインジケータ１７５を含む、インカミングコールメッセージ１０６を受信し、処理し得る、無線通信デバイスを例示するブロック図を示す。無線通信デバイス２３０は、無線から電磁無線周波数信号（ＲＦ）を受信し、その電磁ＲＦ信号を無線で送信する、つまり、無線通信のためのアンテナ２３４を有する。アンテナはＲＦ回路２３８に結合され、ＲＦ回路は、ＲＦ信号をデジタル信号に変換し、デジタル信号をＲＦ回路へと変換する。ＲＦ回路は、明瞭さを優先して、ここではさらに記載しない。ＲＦ回路は、デジタル信号を受信するためのプロセッサ２４２に接続される。
【００２６】
プロセッサ２４２は、ユーザインターフェース２４４に提示するための、デジタル信号を処理する。その処理は、データおよびソフトウェアを格納するメモリ２４６に接続されることは、当業者によって理解される。いくつかのモジュールがプロセッサ２４２において示される。モジュールはメモリ２４６において格納されるが、それらはプロセッサによって実行され、プロセッサ２４２において機能的に示されることは理解される。
【００２７】
受信モジュール（Ｒｘモジュールとしても知られる）２４８は、ＲＦ回路２３８からデジタル信号を受信し、そのデジタル信号を主制御モジュール１０３に提示する。送信モジュール２５０および検索モジュール２５５は、明瞭さを優先し、さらには記載されない。主制御モジュール１０３は通常、信号をコール管理モジュール２６０に提示し、主制御モジュールとユーザインターフェースモジュール１０９との間のインターフェースとしての機能を果たす。このように、図１を参照して記載されるように、主制御モジュールがインカミングコール信号をユーザインターフェースモジュールに送信する場合、これは、インカミングコール信号をコール管理モジュールへ送信することを含み得、そのコール管理モジュールは、インカミングコール信号をユーザインターフェースモジュールに送信する。
【００２８】
ユーザインターフェース２４４は、スピーカ２６３およびＰＴＴボタン２６６を含む。例えばマイクロフォンやディスプレイスクリーンなどのユーザインターフェースの他の可能な局面は示されていないことは理解されるべきである。無線通信デバイスに音を鳴らせるために、ユーザインターフェースモジュールは、信号をスピーカに送信し、聴覚的にユーザをアラートするために、スピーカに音を発生させる。スピーカは、例えば、クワイエットスピーカまたはラウドスピーカなどの、任意のタイプのスピーカであり得る。
【００２９】
ＰＴＴボタン２６６は専用のＰＴＴボタンであり得、または、一つ以上の機能を有するボタンであり得、無線通信デバイスの動作モードに依存する。当業者によって理解されるように、ＰＴＴボタンは、ＰＴＴコールにおいて、「会話を主宰する」ために使用され得る。
【００３０】
本発明の実施形態および実施が示され、説明されているが、さらに多くの実施形態および実施が本発明の範囲内にあることは明らかである。従って、本発明は、請求項およびその均等物を踏まえる以外に制限されない。
【図面の簡単な説明】
【００３１】
【図１】インカミングコールメッセージに関する主制御モジュールを例示し、インカミングコールメッセージに関するユーザインターフェースモジュールを通知する、ブロック図を示す。
【図２】図１のインカミングコールメッセージの拡大された部分を例示するブロック図を示す。
【図３】インカミングコール信号を例示するブロック図を示す。
【図４】インカミングコールに関して、移動局に通知するための、基地局と移動局との間の通信を例示する図を示す。
【図５】無線通信デバイスを例示するブロック図を示す。
【図１】
2008508799.tif 000003
【図２】
2008508799.tif 000004
【図３】
2008508799.tif 000005
【図４】
2008508799.tif 000006
【図５】
2008508799.tif 000007
【国際調査報告】
2008508799.tif 000008
2008508799.tif 000009
2008508799.tif 000010